(57)【特許請求の範囲】
【請求項１】
選局中のチャンネルにおけるＦＭ放送の放送波の受信品位を評価する受信品位評価部と；
前記放送波の変調の程度を検出する変調レベル検出部と；
前記選局中のチャンネルから一時的な選局チャンネル変更を行う変更周期を、前記検出された変調の程度と少なくとも２つの閾値のそれぞれとの大小関係と、前記評価された受信品位との組み合わせに対応して定められている周期に決定する決定部と；
を備えることを特徴とする放送受信装置。
【請求項２】
前記少なくとも２つの閾値には、第１閾値と、前記第１閾値未満の第２閾値が含まれ、
前記決定部は、
前記検出された変調の程度が、第１閾値以上である場合には、前記評価された受信品位の高低にかかわらず、第１周期を前記変更周期に決定し、
前記検出された変調の程度が、前記第１閾値未満かつ第２閾値以上である場合には、前記評価された受信品位に対応した周期を前記変更周期に決定し、
前記検出された変調の程度が、前記第２閾値未満である場合には、前記第１周期よりも短い周期を前記変更周期に決定する、
ことを特徴とする請求項１に記載の放送受信装置。
【請求項３】
前記決定部は、前記検出された変調の程度が前記第１閾値未満かつ前記第２閾値以上である場合には、前記評価された受信品位が高いほど長い周期を前記変更周期に決定する、ことを特徴とする請求項２に記載の放送受信装置。
【請求項４】
前記決定部は、前記検出された変調の程度が前記第１閾値未満かつ前記第２閾値以上である場合には、
前記評価された受信品位が所定受信品位に達するまでは、前記評価された受信品位が高いほど長い周期を前記変更周期に決定し、
前記評価された受信品位が前記所定受信品位よりも高い場合には、前記一時的な選局チャンネル変更を行わない決定を行う、
ことを特徴とする請求項２に記載の放送受信装置。
【請求項５】
前記決定部は、前記検出された変調の程度が前記第２閾値未満である場合には、前記評価された受信品位の高低にかかわらず、第２周期を前記変更周期に決定する、ことを特徴とする請求項２〜４のいずれか一項に記載の放送受信装置。
【請求項６】
前記少なくとも２つの閾値には、前記第２閾値未満の第３閾値が更に含まれ、
前記決定部は、前記検出された変調の程度が前記第２閾値未満である場合、
前記検出された変調の程度が第３閾値以上であるときには、前記評価された受信品位の高低にかかわらず、第２周期を前記変更周期に決定し、
前記検出された変調の程度が前記第３閾値未満であるときには、前記評価された受信品位の高低にかかわらず、前記第２周期よりも短い第３周期を前記変更周期に決定する、
ことを特徴とする請求項２〜４のいずれか一項に記載の放送受信装置。
【請求項７】
前記放送波の受信レベルを検出する受信レベル検出部を更に備え、
前記受信品位評価部は、前記受信レベル検出部による検出結果に基づいて、前記放送波の受信品位を評価する、
ことを特徴とする請求項１〜６のいずれか一項に記載の放送受信装置。
【請求項８】
前記放送波におけるマルチパスノイズレベル及び高周波ノイズレベルの少なくとも一方を検出するノイズレベル検出部を更に備え、
前記受信品位評価部は、前記ノイズレベル検出部による検出結果を更に利用して、前記放送波の受信品位を評価する、
ことを特徴とする請求項７に記載の放送受信装置。
【請求項９】
前記放送波における音声再生に利用する信号の離調度を検出する離調度検出部を更に備え、
前記受信品位評価部は、前記離調度検出部による検出結果を更に利用して、前記放送波の受信品位を評価する、
ことを特徴とする請求項７又は８に記載の放送受信装置。
【請求項１０】
前記放送波における音声再生に利用する信号の周波数帯域幅を検出する帯域幅検出部を更に備え、
前記受信品位評価部は、前記帯域幅検出部による検出結果を更に利用して、前記放送波の受信品位を評価する、
ことを特徴とする請求項７〜９のいずれか一項に記載の放送受信装置。
【請求項１１】
選局中のチャンネルにおけるＦＭ放送の放送波の受信品位を評価する受信品位評価工程と；
前記放送波の変調の程度を検出する変調レベル検出工程と；
前記選局中のチャンネルから一時的な選局チャンネル変更を行う変更周期を、前記検出された変調の程度と少なくとも２つの閾値のそれぞれとの大小関係と、前記評価された受信品位との組み合わせに対応して定められている周期に決定する決定工程と；
を備えることを特徴とする放送受信方法。
【請求項１２】
請求項１１に記載の放送受信方法を演算手段に実行させる、ことを特徴とする放送受信プログラム。
【請求項１３】
請求項１２に記載の放送受信プログラムが、演算手段により読み取り可能に記録されている、ことを特徴とする記録媒体。
【発明の詳細な説明】
【技術分野】
【０００１】
本発明は、放送受信装置、放送受信方法及び放送受信プログラム、並びに、当該放送受信プログラムが記録された記録媒体に関する。
【背景技術】
【０００２】
従来から、車両等の移動体に搭載され、ラジオ放送波を受信する放送受信装置が広く普及している。こうした放送受信装置に関する技術の進展は目覚しく、ラジオ放送の副搬送波の一部を用いて放送関連情報を多重伝送する情報伝送システムとして、例えば、欧州で実施されているラジオデータシステム（ＲＤＳ）が実用化されている。
【０００３】
このＲＤＳでは、受信エリアごとに存在する各々の放送局が、放送番組の内容である周波数変調したＦＭ（Frequency Modulation）オーディオ信号に、放送局名（プログラムサービス名）を示すＰＳコード、同一番組を放送するためにネットワーク化されている受信エリアごとの放送局の周波数リスト（代替周波数のリスト）を示すＡＦ（Alternative Frequencies）コード、番組を識別するためのＰＩコード等のデータを有するＲＤＳデータを周波数多重して放送している。かかるＲＤＳデータは、各放送局を特定するコードデータの集まりであることから、放送受信装置に到来する放送波（到来電波）を検波等してＲＤＳデータを抽出し、その抽出したＲＤＳデータを利用してネットワークフォローの処理を行うことで、受信可能な放送局を自動検索したり、より良好な受信品質の得られる放送波を受信するように選局切り替えを行ったりすることができるようになっている。
【０００４】
こうしたネットワークフォローの処理を１チューナ構成の放送受信装置で行う場合には、定期的に、聴取用の選局を一時的に中断することが必要となる。こうした選局状態の一時的な中断による異音の発生を防止するため、ミュート処理を行い、無音状態とする手法が多く用いられている。しかしながら、定期的な無音状態の発生は、放送内容の音切れや、音揺れを発生させ、聴取者に不快感を与えることになる。
【０００５】
こうした定期的な放送内容の音切れや、音揺れによる聴取者の不快感を低減するために、聴取用の選局の一時的な中断が発生する時間間隔をランダムとし、定期的な無音状態の発生による放送内容の音切れを、聴取者に気付かれにくくする技術が提案されている（特許文献１参照：以下、「従来例」という）。この従来例の技術では、乱数を生成し、生成された乱数に対応する時間が経過したときに、聴取用の選局の一時的な中断を伴うネットワークフォローの処理を行うようになっている。
【先行技術文献】
【特許文献】
【０００６】
【特許文献１】特開平７−１１１４６７号公報
【発明の概要】
【発明が解決しようとする課題】
【０００７】
上述した従来例の技術では、聴取用の選局の一時的の中断に伴う無音状態が発生する時間間隔をランダムとする。このため、無音状態が短時間に集中して発生する場合ある。こうした無音状態の発生が短時間に集中すると、聴取者の不快感が高いものになってしまう。
【０００８】
ところで、本発明者が研究の結果として得た知見によれば、選局した放送局の放送波の受信品位が高く、再生音がクリアな場合には、聴取者は、無音状態の発生に伴う音切れや音揺れに気付きやすい。一方、放送波の受信品位が低く、再生音がクリアではない場合には、聴取者は、無音状態の発生に伴う音切れや音揺れに気付きにくい。
【０００９】
また、放送波の変調の程度の違いによって、無音状態の発生に伴う音切れや音揺れの気付き易さが異なってくる。例えば、平均的な程度の変調がなされ、かつ、受信品位が高いことを前提として、放送番組がトーク番組である場合には、発話の開始直後に無音状態が発生すると、音切れと認識されやすく、また、放送番組がクラシック音楽番組である場合には、クレッシェンド演奏中に無音状態が発生すると、音揺れと認識されやすい。
【００１０】
このため、ネットワークフォロー処理に際して、放送波の受信品位や、放送内容を考慮して、聴取者の不快感を低減することができる技術が待望されている。かかる要請に応えることが、本発明が解決すべき課題の一つとして挙げられる。
【００１１】
本発明は、上記の事情に鑑みてなされたものであり、無音状態の発生による聴取者の不快感を低減することができる新たな放送受信装置及び放送受信方法を提供することを目的とする。
【課題を解決するための手段】
【００１２】
請求項１に記載の発明は、選局中のチャンネルにおけるＦＭ放送の放送波の受信品位を評価する受信品位評価部と；前記放送波の変調の程度を検出する変調レベル検出部と；前記選局中のチャンネルから一時的な選局チャンネル変更を行う変更周期を、前記検出された変調の程度と少なくとも２つの閾値のそれぞれとの大小関係と、前記評価された受信品位との組み合わせに対応して定められている周期に決定する決定部と；を備えることを特徴とする放送受信装置である。
【００１３】
請求項１１に記載の発明は、選局中のチャンネルにおけるＦＭ放送の放送波の受信品位を評価する受信品位評価工程と；前記放送波の変調の程度を検出する変調レベル検出工程と；前記選局中のチャンネルから一時的な選局チャンネル変更を行う変更周期を、前記検出された変調の程度と少なくとも２つの閾値のそれぞれとの大小関係と、前記評価された受信品位との組み合わせに対応して定められている周期に決定する決定工程と；を備えることを特徴とする放送受信方法である。
【００１４】
請求項１２に記載の発明は、請求項１１に記載の放送受信方法を演算手段に実行させる、ことを特徴とする放送受信プログラムである。
【００１５】
請求項１３に記載の発明は、請求項１２に記載の放送受信プログラムが、演算手段により読み取り可能に記録されている、ことを特徴とする記録媒体である。
【図面の簡単な説明】
【００１６】
【図１】本発明の一実施形態の放送受信装置の概略的な構成を説明するためのブロック図である。
【図２】図１の検出ユニット１２５の構成を示すブロック図である。
【図３】図１の検波ユニット１３０の構成を示すブロック図である。
【図４】図１の検出ユニット１３５の構成を示すブロック図である。
【図５】図１のサーチ周期テーブルＴＢＬの内容を説明するための図である。
【図６】図１の装置による自動サーチ処理を説明するためのフローチャートである。
【発明を実施するための形態】
【００１７】
以下、本発明の一実施形態を、図１〜図６を参照して説明する。なお、以下の説明及び図面においては、同一又は同等の要素には同一の符号を付し、重複する説明を省略する。
【００１８】
［構成］
図１には、一実施形態に係るＲＤＳ対応のＦＭ放送の放送受信装置１００の構成がブロック図にて示されている。この図１に示されるように、放送受信装置１００は、アンテナ１１０と、ＲＦ処理ユニット１１５と、帯域幅検出部としての可変バンドパスフィルタ（ＢＰＦ）ユニット１２０と、検出ユニット１２５とを備えている。また、放送受信装置１００は、検波ユニット１３０と、検出ユニット１３５と、ステレオ復調ユニット１４０とを備えている。さらに、放送受信装置１００は、音出力ユニット１５０L，１５０Rと、操作入力ユニット１６０と、受信品位評価部及び決定部としての制御ユニット１９０とを備えている。
【００１９】
上記のアンテナ１１０は、様々な放送局（基地局）からの放送波を受信する。そして、アンテナ１１０による受信結果は、受信信号ＲＦＳとして、ＲＦ処理ユニット１１５へ送られる。
【００２０】
上記のＲＦ処理ユニット１１５は、アンテナ１１０から送られた受信信号ＲＦＳを受ける。そして、ＲＦ処理ユニット１１５は、制御ユニット１９０から送られた選局指令ＣＳＬに従って、再生チャンネルにおける放送波のパイロット信号成分の周波数を所定の中間周波数に変換する周波数変換を行い、当該周波数変換が行われた信号ＩＦＳを生成する。こうして生成された信号ＩＦＳは、可変ＢＰＦユニット１２０へ送られる。
【００２１】
ここで、ＲＦ処理ユニット１１５は、入力フィルタと、高周波増幅器（ＲＦ ＡＭＰ：Radio Frequency-Amplifier）と、バンドパスフィルタ（以下、「ＲＦフィルタ」とも呼ぶ）とを備えている。また、ＲＦ処理ユニット１１５は、ミキサ（混合器）と、中間周波フィルタ（以下、「ＩＦフィルタ」とも呼ぶ）と、中間周波増幅器（ＩＦ ＡＭＰ：Intermediate Frequency-Amplifier）とを備えている。さらに、ＲＦ処理ユニット１１５は、局部発振回路（ＯＳＣ）を備えている。
【００２２】
入力フィルタは、アンテナ１１０から送られた受信信号ＲＦＳの低周波成分を遮断するハイパスフィルタである。高周波増幅器は、入力フィルタを通過した信号を増幅する。
【００２３】
ＲＦフィルタは、高周波増幅器から出力された信号のうち、特定の周波数範囲の信号を選択的に通過させる。ミキサは、ＲＦフィルタを通過した信号と、局部発振回路から供給された局部発振信号とを混合する。
【００２４】
ＩＦフィルタは、ミキサから出力された信号のうち、予め定められた中間周波数範囲の信号を選択して通過させる。中間周波増幅器は、ＩＦフィルタを通過した信号を増幅し、増幅結果を、信号ＩＦＳとして、可変ＢＰＦユニット１２０へ送る。
【００２５】
局部発振回路は、電圧制御等により発振周波数の制御が可能な発振器等を備えて構成される。この局部発振回路は、制御ユニット１９０から供給された選局指令ＣＳＬに従って、ＲＦ処理ユニット１１５において選局すべきチャンネルに対応する周波数の局部発振信号を生成し、ミキサへ供給する。
【００２６】
上記の可変ＢＰＦユニット１２０は、ＲＦ処理ユニット１１５から送られた信号ＩＦＳを受ける。この可変ＢＰＦユニット１２０は、信号ＩＦＳを解析して、再生チャンネルにおける放送波に対する隣接妨害（隣接チャンネルの放送波の影響）の程度を評価する。引き続き、可変ＢＰＦユニット１２０は、評価結果に基づいて、隣接妨害の程度を低減するために通過させる信号成分の周波数範囲を決定する。
【００２７】
そして、可変ＢＰＦユニット１２０は、決定された周波数範囲の信号ＩＦＳにおける信号成分を通過させ、信号ＢＰＳとして、検出ユニット１２５及び検波ユニット１３０へ送る。また、可変ＢＰＦユニット１２０は、決定された周波数範囲の幅を、利用周波数幅ＢＷＤ（利用周波数幅（周波数帯域幅）の検出結果）として、制御ユニット１９０へ送る。
【００２８】
上記の検出ユニット１２５は、可変ＢＰＦユニット１２０から送られた信号ＢＰＳを受ける。そして、検出ユニット１２５は、再生チャンネルにおける放送波の受信信号レベル、及び、当該放送波におけるマルチパスノイズレベルを検出する。検出ユニット１２５による２種の検出結果は、検出結果ＤＲ１として、制御ユニット１９０へ送られる。
【００２９】
なお、検出ユニット１２５の構成の詳細については、後述する。
【００３０】
上記の検波ユニット１３０は、可変ＢＰＦユニット１２０から送られた信号ＢＰＳを受ける。そして、検波ユニット１３０は、信号ＢＰＳに対して音声検波処理を行った後、当該音声検波処理の結果を、信号ＤＡＳとして、検出ユニット１３５及びステレオ復調ユニット１４０へ送る。
【００３１】
また、検波ユニット１３０は、信号ＢＰＳに対してＲＤＳ検波処理を行った後、ＲＤＳデコード処理を行う。そして、検波ユニット１３０は、ＲＤＳデコード処理の結果を、ＲＤＳデータＲＳＤとして、制御ユニット１９０へ送る。
【００３２】
なお、検波ユニット１３０の構成の詳細については、後述する。
【００３３】
上記の検出ユニット１３５は、検波ユニット１３０から送られた信号ＤＡＳを受ける。そして、検出ユニット１３５は、信号ＤＡＳの変調レベル、離調度レベル及び高周波ノイズレベルを検出する。検出ユニット１３５による３種の検出結果は、検出結果ＤＲ２として、制御ユニット１９０へ送られる。
【００３４】
なお、検出ユニット１３５の構成の詳細については、後述する。
【００３５】
上記のステレオ復調ユニット１４０は、検波ユニット１３０から送られた信号ＤＡＳを受ける。そして、ステレオ復調ユニット１４０は、セパレーション処理を含めたステレオ復調処理を信号ＤＡＳに対して施し、出力音声信号ＡＯＳL，ＡＯＳRを生成する。生成された出力音声信号ＡＯＳL，ＡＯＳRは、音出力ユニット１５０L，１５０Rへ送られる。
【００３６】
上記の音出力ユニット１５０Lは、電子ボリューム、スピーカ等を備えて構成される。この音出力ユニット１５０Lは、ステレオ復調ユニット１４０から送られた出力音声信号ＡＯＳL、及び、制御ユニット１９０から送られたミュート制御信号ＭＴＣを受ける。そして、ミュート制御信号ＭＴＣによりミュート解除が指定されている場合には、音出力ユニット１５０Lは、出力音声信号ＡＯＳLに対応する音声を出力する。一方、ミュート制御信号ＭＴＣによりミュート設定が指定されている場合には、音出力ユニット１５０Lは、音声出力を停止する。
【００３７】
上記の音出力ユニット１５０Rは、音出力ユニット１５０Lと同様に、電子ボリューム、スピーカ等を備えて構成される。この音出力ユニット１５０Rは、ステレオ復調ユニット１４０から送られた出力音声信号ＡＯＳR、及び、制御ユニット１９０から送られたミュート制御信号ＭＴＣを受ける。そして、音出力ユニット１５０Rは、ミュート制御信号ＭＴＣによりミュート解除が指定されている場合には、出力音声信号ＡＯＳRに対応する音声を出力する。一方、ミュート制御信号ＭＴＣによりミュート設定が指定されている場合には、音出力ユニット１５０Rは、音声出力を停止する。
【００３８】
上記の操作入力ユニット１６０は、放送受信装置１００の本体部に設けられたキー部及び／又はキー部を備えるリモート入力装置等により構成される。ここで、本体部に設けられたキー部としては、不図示の表示ユニットに設けられたタッチパネルを用いることができる。なお、キー部を有する構成に代えて、又は、併用して音声認識技術を利用して音声にて入力する構成を採用することもできる。操作入力ユニット１６０への操作入力結果は、操作入力データＩＰＤとして制御ユニット１９０へ送られる。この操作入力ユニット１６０を操作することにより、利用者は、再生チャンネル指定等の指定入力ができるようになっている。
【００３９】
上記の制御ユニット１９０は、放送受信装置１００の全体の動作を制御する。この制御ユニット１９０は、内部記憶部、タイマ等を備えて構成されている。
【００４０】
ここで、当該内部記憶部には、サーチ周期テーブルＴＢＬが記憶されている。なお、サーチ周期テーブルＴＢＬの内容については、後述する。
【００４１】
制御ユニット１９０は、操作入力ユニット１６０に入力された再生チャンネル指定が操作入力データＩＰＤとして通知されると、当該再生チャンネル指定に従って再生チャンネルの選局指令を生成する。そして、制御ユニット１９０は、生成された選局指令を、選局指令ＣＳＬとして、ＲＦ処理ユニット１１５へ送る。
【００４２】
また、制御ユニット１９０は、受信処理期間において定期的に、受信可能な放送局の自動サーチを行う。かかる自動サーチに際して、制御ユニット１９０は、可変ＢＰＦユニット１２０から送られた利用周波数幅ＢＷＤ、検出ユニット１２５から送られた検出結果ＤＲ１、及び、検出ユニット１３５から送られた検出結果ＤＲ２に基づいて、サーチ周期テーブルＴＢＬを参照し、自動サーチの周期（再生チャンネルから一時的な選局チャンネル変更を行う変更周期）を決定する。
【００４３】
そして、制御ユニット１９０は、決定された周期で、再生チャンネルとは異なる複数のチャンネルの自動サーチ用選局指令を順次生成し、選局指令ＣＳＬとして、ＲＦ処理ユニット１１５へ送る。そして、制御ユニット１９０は、個々の自動サーチ用選局指令を、選局指令ＣＳＬとして、ＲＦ処理ユニット１１５へ送るたびに、検出ユニット１２５による検出結果ＤＲ１及び検出ユニット１３５による検出結果ＤＲ２を収集する。
【００４４】
なお、制御ユニット１９０は、個々の自動サーチ用選局指令を送る直前に、ミュート設定を指定したミュート制御信号ＭＴＣを音出力ユニット１５０L，１５０Rへ送る。
【００４５】
次に、制御ユニット１９０は、個々の自動サーチ用選局指令に対応する検出結果ＤＲ１の収集が終了するたびに、再生チャンネルの選局指令を生成し、選局指令ＣＳＬとしてＲＦ処理ユニット１１５へ送る。そして、制御ユニット１９０は、ミュート解除を指定したミュート制御信号ＭＴＣを音出力ユニット１５０L，１５０Rへ送る。
【００４６】
＜検出ユニット１２５の構成＞
次に、上述した検出ユニット１２５の構成について説明する。図２に示されるように、検出ユニット１２５は、受信レベル検出部としてのレベル検出部２１１と、バンドパスフィルタ（ＢＰＦ）部２１２と、レベル検出部２１３とを備えている。ここで、ＢＰＦ２１２と、レベル検出部２１３とがノイズレベル検出部の構成要素となっている。
【００４７】
上記のレベル検出部２１１は、可変ＢＰＦユニット１２０から送られた信号ＢＰＳを受ける。そして、レベル検出部２１１は、信号ＢＰＳの信号レベルを検出する。このレベル検出部２１１による検出結果は、再生チャンネルにおける放送波の電界強度を反映したものとなっている。レベル検出部２１１による検出結果は、受信信号レベルＳＬＶとして、制御ユニット１９０へ送られる。
【００４８】
上記のＢＰＦ部２１２は、可変ＢＰＦユニット１２０から送られた信号ＢＰＳを受ける。そして、ＢＰＦ部２１２は、信号ＢＰＳにおける所定周波数（例えば、１８ｋＨｚ）の近傍の周波数成分を抽出する。かかる所定周波数の近傍の周波数成分のレベルは、マルチパス現象の影響により変化するものである。ＢＰＦ部２１２による抽出結果は、信号ＭＰＳとして、レベル検出部２１３へ送られる。
【００４９】
上記のレベル検出部２１３は、ＢＰＦ部２１２から送られた信号ＭＰＳを受ける。そして、レベル検出部２１３は、信号ＭＰＳの信号レベルを検出する。このレベル検出部２１３による検出結果は、マルチパスフェージングの影響度を反映したものとなっている。レベル検出部２１３による検出結果は、マルチパスノイズレベルＭＰＬとして、制御ユニット１９０へ送られる。
【００５０】
＜検波ユニット１３０の構成＞
次いで、上述した検波ユニット１３０の構成について説明する。図３に示されるように、検波ユニット１３０は、音声検波部１３２と、ＲＤＳ検波部１３７と、ＲＤＳデコード部１３８とを備えている。
【００５１】
上記の音声検波部１３２は、可変ＢＰＦユニット１２０から送られた信号ＢＰＳを受ける。そして、音声検波部１３２は、信号ＢＰＳに対して、音声成分に対応する所定方式で検波処理を施して信号ＤＡＳを生成する。こうして生成された信号ＤＡＳは、検出ユニット１３５及びステレオ復調ユニット１４０へ送られる。
【００５２】
上記のＲＤＳ検波部１３７は、可変ＢＰＦユニット１２０から送られた信号ＢＰＳを受ける。そして、ＲＤＳ検波部１３７は、信号ＢＰＳに対して、放送関連情報成分に対応する所定方式で検波処理を施して、信号ＤＲＳを生成する。生成された信号ＤＲＳは、ＲＤＳデコード部１３８へ送られる。
【００５３】
上記のＲＤＳデコード部１３８は、ＲＤＳ検波部１３７からの信号ＤＲＳに対してデコード処理を施し、放送関連情報が含まれるＲＤＳデータＲＳＤを生成する。このＲＤＳデータＲＳＤには、番組識別コード（ＰＩコード）、及び、現在の再生チャンネルと同じネットワークに属する放送チャンネルの周波数情報のデータであるＡＦ（Alternative Frequencies）データ等が含まれている。こうして生成されたＲＤＳデータＲＳＤは、制御ユニット１９０へ送られる。
【００５４】
＜検出ユニット１３５の構成＞
次に、上述した検出ユニット１３５の構成について説明する。図４に示されるように、検出ユニット１３５は、変調レベル検出部の一部としてのＡＭ成分抽出部２２１と、変調レベル検出部の一部としてのレベル検出部２２２とを備えている。また、検出ユニット１３５は、離調度検出部の一部としてのオフセット抽出部２２３と、離調度検出部の一部としてのレベル検出部２２４とを備えている。さらに、検出ユニット１３５は、ノイズ検出部の一部としてのハイパスフィルタ（ＨＰＦ）部２２５と、ノイズ検出部の一部としてのレベル検出部２２６とを備えている。
【００５５】
上記のＡＭ成分抽出部２２１は、検波ユニット１３０から送られた信号ＤＡＳを受ける。そして、ＡＭ成分抽出部２２１は、信号ＤＡＳのＡＭ変調成分を抽出する。かかるＡＭ変調成分のレベルは、再生チャンネルにおけるＦＭ放送波の変調の程度が大きなほど大きくなる。ＡＭ成分抽出部２２１による抽出結果は、信号ＡＭＳとして、レベル検出部２２２へ送られる。
【００５６】
上記のレベル検出部２２２は、ＡＭ成分抽出部２２１から送られた信号ＡＭＳを受ける。そして、レベル検出部２２２は、信号ＡＭＳの信号レベルを検出する。このレベル検出部２２２による検出結果は、再生チャンネルにおけるＦＭ放送波の変調の程度を反映したものとなっている。レベル検出部２２２による検出結果は、変調レベルＡＭＬとして、制御ユニット１９０へ送られる。
【００５７】
上記のオフセット成分抽出部２２３は、検波ユニット１３０から送られた信号ＤＡＳを受ける。そして、オフセット成分抽出部２２３は、信号ＤＡＳのオフセット成分を抽出する。オフセット成分抽出部２２３による抽出結果は、信号ＯＦＳとして、レベル検出部２２４へ送られる。
【００５８】
上記のレベル検出部２２４は、オフセット成分抽出部２２３から送られた信号ＯＦＳを受ける。そして、レベル検出部２２４は、信号ＯＦＳの信号レベルを検出する。このレベル検出部２２４による検出結果は、信号ＤＡＳにおける離調度を反映したものとなっている。レベル検出部２２２による検出結果は、離調度レベルＯＦＬとして、制御ユニット１９０へ送られる。
【００５９】
上記のＨＰＦ部２２５は、検波ユニット１３０から送られた信号ＤＡＳを受ける。そして、ＨＰＦ部２２５は、信号ＤＡＳにおける音声成分に対応する周波数よりも高い周波数成分を抽出する。ＨＰＦ部２２５による抽出結果は、信号ＨＦＳとして、レベル検出部２２６へ送られる。
【００６０】
上記のレベル検出部２２６は、ＨＰＦ部２２５から送られた信号ＨＦＳを受ける。そして、レベル検出部２２６は、信号ＨＰＳの信号レベルを検出する。このレベル検出部２２６による検出結果は、信号ＤＡＳにおける高周波ノイズレベルを反映したものとなっている。レベル検出部２２６よる検出結果は、高周波ノイズレベルＨＦＬとして、制御ユニット１９０へ送られる。
【００６１】
＜サーチ周期テーブルＴＢＬの内容＞
次に、上述したサーチ周期テーブルＴＢＬの内容について説明する。図５に示されるように、サーチ周期テーブルＴＢＬには、変調レベルと受信品位との組み合わせに関連付けて自動サーチの周期が登録されている。
【００６２】
なお、本実施形態では、図５に示されるように、変調レベルが、「高」、「中」、「低」及び「無変調」の４段階に分類されるようになっている。この分類では、上述の自動サーチによって生じるミュート期間の存在によって音切れや音揺れが目立つ事態が発生する変調レベルの値の範囲を「中」段階としている。また、変調レベルが、「中」の範囲より高い範囲、すなわち、大半の放送番組での音量変化よりも激しい音量変化が生じている範囲を「高」段階としている。さらに、音声成分が実質的に存在していないといえる変調レベルが非常に低い範囲を「無変調」段階に分類するとともに、音声成分が実質的に存在していないといえないが、大半の放送番組での音量変化よりも少ないときの範囲を「低」としている。
【００６３】
かかる変調レベルの分類の基準は、多数の放送番組に関する変調レベルと、音切れや音揺れが目立つ程度の調査結果、及び、多数の放送番組に関する変調レベルと視聴可能性との関連の調査結果に基づいて定められる。
【００６４】
また、本実施形態では、受信品位が「１」〜「１０」の１０段階に分類されるようになっている。なお、「ｊ」（ｊ＝１〜１０）の値ｊが小さいほど受信品位が低く、値ｊが大きいほど受信品位が高いことを示すようになっている。
【００６５】
ここで、受信品位は、再生チャンネルにおける放送波の受信信号レベル、音声再生に利用される周波数帯幅、当該放送波におけるマルチパスノイズレベル及び高周波ノイズレベル、並びに、離調度レベルに基づいて評価される。ここで、受信信号レベルが高いほど、受信品位が高いと評価される。また、音声再生に利用される周波数帯幅が広いほど、受信品位が高いと評価される。一方、マルチパスノイズレベル、高周波ノイズレベル及び離調度レベルが高いほど、受信品位が低いと評価される。
【００６６】
なお、本実施形態においては、再生チャンネルにおける放送波の受信信号レベル、音声再生に利用される周波数帯幅、当該放送波におけるマルチパスノイズレベル及び高周波ノイズレベル、並びに、離調度レベルを、受信品位のパラメータとして採用する。そして、これらのパラメータのそれぞれの値に対応して予め定められたポイント値を設定しておく。これらのパラメータそれぞれの値に対応して予め定められたポイント値の加算結果の取り得る値の範囲を等分する等して１０分割することにより、受信品位が「１」〜「１０」の１０段階に分類されるようになっている。
【００６７】
以上のように４段階に分類された変調レベルと、１０段階に分類された受信品位との組み合わせに関連付けて、サーチ周期、すなわち、無音期間が発生する周期が、本実施形態におけるサーチ周期テーブルＴＢＬに登録されている。ここで、本実施形態のサーチ周期テーブルＴＢＬでは、変調レベルが「中」段階の場合には、受信品位が「１」，「２」，…，「６」段階に対応して、自動サーチ周期「ＴＰM1」，「ＴＰM2（＞ＴＰM1）」，…，「ＴＰM6（＞ＴＰM5）」というように、受信品位が高くなるほど、自動サーチ周期が長くなるようになっている。これは、受信品位が高いほど、無音期間の発生による音切れや音揺れが目立つ傾向にあるためである。
【００６８】
また、変調レベルが「中」段階の場合には、受信品位が「７」〜「１０」段階に対応して、自動サーチ周期「∞」、すなわち、自動サーチを行わない旨が登録されている。これは、受信品位が非常に高いと、無音期間の発生による音切れや音揺れが良く目立つため、音切れや音揺れを発生させないためである。
【００６９】
変調レベルが「高」段階の場合、本実施形態のサーチ周期テーブルＴＢＬにおいては、受信品位の段階にかかわらず、自動サーチ周期「ＴＰH」が登録されている。本実施形態では、自動サーチ周期「ＴＰH」は、自動サーチ周期「ＴＰM6」と同程度の値となっている。これは、変調レベルが「高」段階である、すなわち、激しい音量変化が生じている場合には、一般に受信信号レベルが高いことに起因して受信品位が高く、かつ、変調レベルが「中」段階の場合と比べて、無音期間の発生による音切れや音揺れが目立ち難くなる傾向があることを考慮したためである。
【００７０】
変調レベルが「低」段階の場合、本実施形態のサーチ周期テーブルＴＢＬにおいては、受信品位の段階にかかわらず、自動サーチ周期「ＴＰL」が登録されている。ここで、本実施形態では、自動サーチ周期「ＴＰL」は、自動サーチ周期「ＴＰM1」と同程度の値となっている。これは、変調レベルが「低」段階である場合には、一般に受信信号レベルが低いことに起因して受信品位が低く、かつ、変調レベルが「中」段階の場合と比べて、無音期間の発生による音切れや音揺れが目立ち難いためである。
【００７１】
変調レベルが「無変調」段階の場合、本実施形態のサーチ周期テーブルＴＢＬにおいては、受信品位の段階にかかわらず、自動サーチ周期「ＴＰN」が登録されている。ここで、本実施形態では、自動サーチ周期「ＴＰN」は、自動サーチ周期「ＴＰL」よりも小さな値となっている。これは、変調レベルが「無変調」段階である、すなわち、音声成分が実質的に存在しない場合には、頻繁に自動サーチを行い、多くの他局の情報を短時間に収集することが望ましいためである。
【００７２】
［動作］
次に、上記のように構成された放送受信装置１００の動作について、自動サーチ処理に主に着目して説明する。
【００７３】
なお、放送受信装置１００は、放送受信動作を開始しており、制御ユニット１９０は、操作入力ユニット１６０に入力された選局指定従って、再生チャンネルの設定をＲＦ処理ユニット１１５に対して行っているものとする。すなわち、放送受信装置１００では、通常の期間において、当該再生チャンネルを利用した放送に対応する出力音声信号ＡＯＳL，ＡＯＳRが、音出力ユニット１５０L，１５０Rに供給されている状態となっている。また、可変ＢＰＳユニット１２０が、通過させる信号成分の周波数範囲を決定し、決定結果を、利用周波数幅ＢＷＤとして、制御ユニット１９０へ送っている状態となっている。
【００７４】
さらに、可変ＢＰＳユニット１２０から送られた信号ＢＰＳを受けている検出ユニット１２５が、検出結果ＤＲ１として、受信信号レベルＳＬＶ及びマルチパスノイズレベルＭＰＬを制御ユニット１９０へ送っている状態となっている。また、検波ユニット１３０から送られた信号ＤＡＳを受けている検出ユニット１３５が、検出結果ＤＲ２として、変調レベルＡＭＬ、離調度レベルＯＦＬ及び高周波ノイズレベルＨＦＬを制御ユニット１９０へ送っている状態となっている。
【００７５】
こうした状態において、自動サーチ処理が実行される。かかる自動サーチ処理に際しては、図６に示されるように、まず、ステップＳ１１において、制御ユニット１９０が、利用周波数幅ＢＷＤ、及び、検出結果ＤＲ１，ＤＲ２を収集する。
【００７６】
次に、ステップＳ１２において、制御ユニット１９０が、上述のステップＳ１１で収集した利用周波数幅ＢＷＤ、検出結果ＤＲ１における受信信号レベルＳＬＶ及びマルチパスノイズレベルＭＰＬ、並びに、検出結果ＤＲ２における離調度レベルＯＦＬ及び高周波ノイズレベルＨＦＬに基づいて、現時点における受信品位を評価する。ここで、制御ユニット１９０は、上述したように、利用周波数幅ＢＷＤ、受信信号レベルＳＬＶ、マルチパスノイズレベルＭＰＬ、離調度レベルＯＦＬ及び高周波ノイズレベルＨＦＬのそれぞれに対応するポイントを加算する。そして、制御ユニット１９０は、加算結果が受信品位の「１」段階から「１０」段階のいずれに該当しているかを特定することにより、現時点における受信品位を評価する。
【００７７】
次いで、ステップＳ１３において、制御ユニット１９０が、自動サーチ周期を決定する。かかる自動サーチ周期の決定に際して、制御ユニット１９０は、まず、上述のステップＳ１１で収集した検出結果ＤＲ２における変調レベルＡＭＬに基づいて、現時点における変調レベルが「高」段階、「中」段階、「低」段階及び「無変調」段階のいずれに該当しているかを特定する。引き続き、制御ユニット１９０は、特定された変調レベルの段階と、上述のステップＳ１２において特定された受信品位の段階との組み合せに対応する自動サーチ周期を、サーチ周期テーブルＴＢＬから読み取る。そして、制御ユニット１９０は、読み取られた自動サーチ周期を、次回の自動サーチまでの周期に決定する。
【００７８】
次に、ステップＳ１４において、制御ユニット１９０が、決定された周期が有限値か否か、すなわち、自動サーチを行うか否かを判定する。この判定の結果が否定的であった場合（ステップＳ１４：Ｎ）には、処理はステップＳ１１へ戻る。
【００７９】
一方、ステップＳ１４における判定の結果が肯定的であった場合（ステップＳ１４：Ｙ）には、処理はステップＳ１５へ進む。このステップＳ１５では、制御ユニット１９０が、ミュート設定を指定したミュート制御信号ＭＴＣを音出力ユニット１５０L，１５０Rへ送る。この結果、無音期間が開始する。
【００８０】
次に、ステップＳ１６において、制御ユニット１９０が、今回のサーチ対象となるチャンネルにおける放送波に関する受信信号レベル、マルチパスノイズレベル、離調度レベル及び高周波ノイズレベルの検出結果を収集する。かかる収集に際して、制御ユニット１９０は、まず、今回のサーチ対象となるチャンネルを選局するための自動サーチ用選局指令を生成し、生成された自動サーチ用選局指令を、選局指令ＣＳＬとして、ＲＦ処理ユニット１１５へ送る。そして、制御ユニット１９０は、検出ユニット１２５による検出結果ＤＲ１、及び、検出ユニット１３５による検出結果ＤＲ２を収集することにより、当該チャンネルの現時点における受信信号レベルＳＬＶ、マルチパスノイズレベルＭＰＬ、離調度レベルＯＦＬ及び高周波ノイズレベルＨＦＬを収集し、内部に保持する。
【００８１】
次に、ステップＳ１７において、制御ユニット１９０が、再生チャンネルの選局指令を生成し、生成された選局指令を、選局指令ＣＳＬとして、ＲＦ処理ユニット１１５へ送る。引き続き、ステップＳ１８において、制御ユニット１９０が、ミュート解除を指定したミュート制御信号ＭＴＣを音出力ユニット１５０L，１５０Rへ送る。この結果、再生チャンネルにおける放送波に対応する音声の再生出力が再開される。
【００８２】
次いで、ステップＳ１９において、制御ユニット１９０が、上述のステップＳ１３において決定した周期の時間が経過したか否かを判定する。この判定の結果が否定的であった場合（ステップＳ１９：Ｎ）には、ステップＳ１９の処理が繰り返される。
【００８３】
当該周期の時間が経過し、ステップＳ１９における判定の結果が肯定的となると（ステップＳ１９：Ｙ）、処理はステップＳ１１へ戻る。この後、ステップＳ１１〜Ｓ１９の処理が繰り返され、定期的に、自動サーチが実行される。
【００８４】
なお、制御ユニット１９０は、自動サーチの対象となったチャンネルの放送波の現時点における受信信号レベルＳＬＶ、マルチパスノイズレベルＭＰＬ、離調度レベルＯＦＬ及び高周波ノイズレベルＨＦＬに基づいて、当該チャンネルにおける放送波の受信可能性を判断する。
【００８５】
以上説明したように、本実施形態では、選局中の再生用チャンネルにおけるＦＭ放送の放送波の受信信号レベル等の検出結果に基づいて、当該放送波の受信品位を評価する。また、当該放送波の変調レベルを検出する。そして、当該評価された受信品位と、当該検出された変調レベルとの組み合わせに基づいて、自動サーチのために行われる再生用チャンネルから一時的な選局チャンネル変更を行う変更周期、すなわち、自動サーチ周期を決定する。
【００８６】
したがって、本実施形態によれば、無音状態の発生による聴取者の不快感を低減することができる。
【００８７】
また、本実施形態では、放送波の受信信号レベル、マルチパスノイズレベル、高周波ノイズレベル、放送波における音声再生に利用する信号の離調度、及び、放送波における音声再生に利用する信号の周波数帯域幅（利用周波数幅）を検出し、これらの検出結果に基づいて、放送波の受信品位を評価する。このため、非常に合理的に、放送波の受信品位を評価することができる。
【００８８】
［実施形態の変形］
本発明は、上記の実施形態に限定されるものではなく、様々な変形が可能である。
【００８９】
例えば、上記の実施形態では、放送波の受信信号レベル、マルチパスノイズレベル、高周波ノイズレベル、放送波における音声再生に利用する信号の離調度レベル、及び、放送波における音声再生に利用する信号の周波数帯域幅に基づいて、放送波の受信品位を評価するようにした。これに対し、放送波の受信信号レベルを含むことを必須としつつ、マルチパスノイズレベル、高周波ノイズレベル、当該離調度レベル及び当該周波数帯域幅の少なくとも１つを除いて、放送波の受信品位を評価するようにしてもよい。
【００９０】
また、上記の実施形態では、変調レベルが「中」段階の場合には、受信品位が「１」，「２」，…，「６」段階に対応して有限時間の自動サーチ周期を設定し、受信品位が「７」〜「１０」段階に対応して、自動サーチ周期「∞」を設定するようにした。これに対し、変調レベルが「中」段階の場合に、受信品位が「１」〜「１０」段階の全てについて、受信品位が高くなるほど、自動サーチ周期が長くなるようにして、有限時間の自動サーチ周期を設定するようにしてもよい。
【００９１】
また、上記の実施形態では、変調レベルが「高」段階の場合には、受信品位の段階にかかわらず、同一の自動サーチ周期を設定するようにした。これに対し、変調レベルが「高」段階の場合に、受信品位の変化に対応して、受信品位が高くなるほど、自動サーチ周期が長くなるように自動サーチ周期を設定するようにしてもよい。
【００９２】
また、上記の実施形態では、変調レベルが「低」段階の場合には、受信品位の段階にかかわらず、同一の自動サーチ周期を設定するようにした。これに対し、変調レベルが「低」段階の場合に、受信品位の変化に対応して、受信品位が高くなるほど、自動サーチ周期が長くなるように自動サーチ周期を設定するようにしてもよい。
【００９３】
また、上記の実施形態では、受信品位を１０段階に分類するようにしたが、任意の数の段階に分類するようにしてもよい。
【００９４】
また、上記の実施形態では、変調レベルを４段階に分類するようにしたが、「高」、「中」及び「低」の段階のうちの任意の段階を更に細かく分類するようにしてもよい。
【００９５】
また、上記の実施形態では、変調レベルの分類において「無変調」段階を設けるようにしたが、「無変調」段階を設けないようにしてもよい。
【００９６】
また、上記の実施形態では、自動サーチの対象となったチャンネルの放送波の現時点における受信信号レベル、マルチパスノイズレベル、離調度レベル及び高周波ノイズレベルに基づいて、当該チャンネルにおける放送波の受信可能性を判断するようにした。これに対し、放送波の受信信号レベルを含むことを必須としつつ、マルチパスノイズレベル、離調度レベル及び高周波ノイズレベルの少なくとも１つを除いて、放送波の受信可能性を判断するようにしてもよい。
【００９７】
また、上記の実施形態では、自動サーチ処理に際して本発明を適用するようにしたが、最適局サーチ処理を定期的に行うようにする場合には、最適局サーチ処理に際して本発明を適用するようにしてもよい。
【００９８】
また、上記の実施形態では、ＲＤＳ方式を採用する放送受信装置に本発明を適用するようにしたが、再生チャンネルから一時的に選局チャンネルを変化させることにより定期的に無音期間が発生する場合には、ＲＤＳ方式を採用する放送受信装置以外の装置も本発明を適用することができるのは、勿論である。
【００９９】
なお、上記の実施形態における制御ユニットをＣＰＵ（Central Processing Unit）等を備えた演算手段としてのコンピュータとして構成し、予め用意されたプログラムを当該コンピュータで実行することにより、上記の実施形態における制御ユニットの処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１００】
１００  …  放送受信装置
１２０  …  可変バンドパスフィルタユニット（帯域幅検出部）
１９０  …  制御ユニット（受信品位評価部及び決定部）
２１１  …  レベル検出部（受信レベル検出部）
２１２  …  ＢＰＦ部（ノイズレベル検出部の一部）
２１３  …  レベル検出部（ノイズレベル検出部の一部）
２２１  …  ＡＭ成分抽出部（変調レベル検出部の一部）
２２２  …  レベル検出部（変調レベル検出部の一部）
２２３  …  オフセット成分抽出部（離調度検出部の一部）
２２４  …  レベル検出部（離調度検出部の一部）
２２５  …  ＨＰＦ部（ノイズレベル検出部の一部）
２２６  …  レベル検出部（ノイズレベル検出部の一部）
【図１】
0005793413.tif 000002
【図２】
0005793413.tif 000003
【図３】
0005793413.tif 000004
【図４】
0005793413.tif 000005
【図５】
0005793413.tif 000006
【図６】
0005793413.tif 000007